(57)【要約】      （修正有）【課題】設計が合理的であり、操作が便利であり、底部内釜を昇降することができ、安定的で信頼でき、適用性及び実用性が高い昇降調整型二重内釜構造を提供する。【解決手段】内釜受け１と、内釜構造２とを備え、内釜受け１の底部には、ステーを介して底板３が固定されるとともに、駆動モータ４が固定され、駆動モータ４の主軸に駆動歯車５が固定され、内釜受け１の中心には、伝動歯車７が底端に固定された伝動スクリュー６が設けられ、内釜構造２は頂部内釜２２及び底部内釜２１を備え、底部内釜２１の底端には、ねじ孔２４が中心に設けられた昇降部２３が固定され、底部内釜２１の側壁頂部に位置規制フランジ２５が固定され、頂部内釜２２のＴ字形横板の底面に位置規制ストッパ構造８が等間隔に設けられ、頂部内釜２２の側壁頂部には、炊飯器本体に係止するための位置規制凸部９が固定され、頂部内釜２２の側壁底部及び底壁に微細網目が設けられる。【選択図】図１
0003220558.tif 000002
【実用新案登録請求の範囲】
【請求項１】
内釜受けと、前記内釜受けに設けられる内釜構造とを備える昇降調整型二重内釜構造であって、
前記内釜受けの底部には、ステーを介して底板が固定されるとともに、駆動モータが設けられ、
前記駆動モータの主軸に駆動歯車が設けられ、
前記内釜受けの中心には、前記駆動歯車と噛み合う伝動歯車が底端に固定された伝動スクリューが設けられ、前記内釜構造は頂部内釜及び底部内釜を備え、
前記底部内釜の底端には、ねじ孔が中心に設けられ、
前記伝動スクリューと螺合連結された昇降部が設けられ、
前記底部内釜の側壁頂部に位置規制フランジが設けられ、
前記頂部内釜の断面がＴ字形構造となり、前記頂部内釜のＴ字形横板の底面に位置規制ストッパ構造が等間隔に設けられ、
前記頂部内釜の側壁頂部には、炊飯器本体に係止するための位置規制凸部が設けられ、
前記頂部内釜の側壁底部及び底壁に微細網目が設けられ、
前記頂部内釜の下部が前記底部内釜内に位置し、前記底部内釜が前記伝動スクリューの作用下で昇降する
ことを特徴とする昇降調整型二重内釜構造。
【請求項２】
前記内釜受けにガイド孔が等間隔に設けられ、前記底部内釜の位置規制フランジの底端には、前記ガイド孔の位置に一致するガイドロッドが設けられている
ことを特徴とする請求項１に記載の昇降調整型二重内釜構造。
【請求項３】
前記位置規制ストッパ構造は、押圧調整ロッドが設けられる位置規制部を備え、前記押圧調整ロッドの上端が前記位置規制部の底部に螺合連結されている
ことを特徴とする請求項２に記載の昇降調整型二重内釜構造。
【請求項４】
前記ガイドロッドの側壁上部に昇降位置規制孔が対称に設けられている
ことを特徴とする請求項３に記載の昇降調整型二重内釜構造。
【請求項５】
前記底部内釜の内壁頂部にシールリングが設けられている
ことを特徴とする請求項４に記載の昇降調整型二重内釜構造。
【考案の詳細な説明】
【技術分野】
【０００１】
本考案は、炊飯器の技術分野に属し、具体的には昇降調整型二重内釜構造に関するものである。
【背景技術】
【０００２】
炊飯器は家庭で炊飯するための一般的なものであり、従来技術の炊飯器の内釜構造のほとんどが固定構造であり、使用時に、内釜を炊飯器本体に入れればすむが、炊飯する機能を果たすことができるものの、昇降調整することができないため、蒸煮調理する際に、調理後にも、被調理物が依然として内釜の水にあり、長時間にわたって蒸煮調理すると、調理効果に影響を与えてしまうため、適用性及び実用性が制限されている。
【考案の概要】
【考案が解決しようとする課題】
【０００３】
本考案は、従来技術において蒸煮調理後に被調理物と水とを分離することができないという技術的欠陥を解決するために、昇降調整型二重内釜構造を提供することを目的とする。
【課題を解決するための手段】
【０００４】
本考案の目的を達成する技術的手段は、内釜受けと、前記内釜受けに設けられる内釜構造とを備える昇降調整型二重内釜構造であって、前記内釜受けの底部には、ステーを介して底板が固定されるとともに、駆動モータが設けられ、前記駆動モータの主軸に駆動歯車が設けられ、前記内釜受けの中心には、前記駆動歯車と噛み合う伝動歯車が底端に固定された伝動スクリューが設けられ、前記内釜構造は頂部内釜及び底部内釜を備え、前記底部内釜の底端には、ねじ孔が中心に設けられ、前記伝動スクリューと螺合連結された昇降部が設けられ、前記底部内釜の側壁頂部に位置規制フランジが設けられ、前記頂部内釜の断面がＴ字形構造となり、前記頂部内釜のＴ字形横板の底面に位置規制ストッパ構造が等間隔に設けられ、前記頂部内釜の側壁頂部には、炊飯器本体に係止するための位置規制凸部が設けられ、前記頂部内釜の側壁底部及び底壁に微細網目が設けられ、前記頂部内釜の下部が前記底部内釜内に位置し、前記底部内釜が前記伝動スクリューの作用下で昇降することにより、頂部内釜の下部が底部内釜内に位置するか又は底部内釜内から離れる。
【０００５】
前記内釜受けにガイド孔が等間隔に設けられ、前記底部内釜の位置規制フランジの底端には、前記ガイド孔の位置に一致するガイドロッドが設けられている。
【０００６】
前記位置規制ストッパ構造は、押圧調整ロッドが設けられる位置規制部を備え、前記押圧調整ロッドの上端が前記位置規制部の底部に螺合連結されている。
前記ガイドロッドの側壁上部に昇降位置規制孔が対称に設けられている。
前記底部内釜の内壁頂部にシールリングが設けられている。
【考案の効果】
【０００７】
本考案の構造は、設計が合理的であり、操作が便利であり、使用時に、必要に応じて底部内釜を昇降調整することにより、頂部内釜の下部が底部内釜内に位置し、蒸煮調理後、場合によって底部内釜を昇降することにより、頂部内釜が底部内釜内から上昇するので、被調理物が長時間にわたって水に浸ることを防止でき、安定的で信頼でき、適用性及び実用性が高い。
【図面の簡単な説明】
【０００８】
【図１】本考案の構造模式図である。
【考案を実施するための形態】
【０００９】
本考案の内容をより明確に理解するために、以下、具体的な実施の形態に基づいて図面を参照しながら、本考案を詳細に説明する。
【００１０】
図１は、本考案の具体的な実施形態を示し、本考案の構造模式図である。
図１に示すように、本実施の形態は、内釜受け１と、前記内釜受け１に設けられる内釜構造２とを備える昇降調整型二重内釜構造であって、前記内釜受け１の底部には、ステーを介して底板３が固定されるとともに、駆動モータ４が固定され、前記駆動モータ４の主軸には駆動歯車５が固定されている。前記内釜受け１の中心には、前記駆動歯車５と噛み合う伝動歯車７が底端に固定された伝動スクリュー６が設けられている。前記内釜構造２は頂部内釜２２及び底部内釜２１を備え、前記底部内釜２１の底端には、ねじ孔２４が中心に設けられている。前記伝動スクリュー６と螺合連結された昇降部２３が固定して設けられ、前記底部内釜２１の側壁頂部には位置規制フランジ２５が設けられている。前記頂部内釜２２の断面がＴ字形構造となり、前記頂部内釜２２のＴ字形横板の底面に位置規制ストッパ構造８が等間隔に設けられている。この位置規制ストッパ構造８を用いることにより、底部内釜２１が昇降する際に、位置規制ストッパ構造８により位置規制されるので、底部内釜の無制限の上昇による頂部内釜へのダメージを回避でき、使用の信頼性を確保できる。
【００１１】
前記頂部内釜２２の側壁頂部には、炊飯器本体に係止するための位置規制凸部９が設けられており、使用時に、頂部内釜２２を炊飯器本体に係止することにより、頂部内釜２２の位置が固定され、底部内釜２１が昇降する際にその位置が変化しないので、頂部内釜２２と底部内釜２１との位置調整の信頼性の確保に有利である。また、前記頂部内釜２２の側壁底部及び底壁に微細網目が設けられ、微細網目を用いることにより、底部内釜２１内の水分が微細網目から頂部内釜２２内に入ることができるので、頂部内釜２２内の被調理物の蒸煮調理が可能となる。
【００１２】
また、前記頂部内釜２２の下部が底部内釜２１内に位置し、前記底部内釜２１が前記伝動スクリュー６の作用下で昇降することにより、頂部内釜２２の下部が底部内釜２１内に位置するか又は底部内釜２１内から離れる。本実施の形態においては、内釜受け１、底板３及び伝動スクリュー６がステンレス構造体であり、炊飯器の電熱ブロックが底部内釜２１と昇降部２３との間に位置するので、蒸煮調理の信頼性を確保するとともに、正常な昇降動作に影響を与えない。
【００１３】
前記内釜受けにガイド孔１０が等間隔に設けられ、前記底部内釜の位置規制フランジ２５の底端には、前記ガイド孔の位置に一致するガイドロッド１１が固定されている。
前記位置規制ストッパ構造８は、押圧調整ロッド８２が設けられる位置規制部８１を備え、前記押圧調整ロッド８２の上端が前記位置規制部８１の底部に螺合連結されている。
【００１４】
前記ガイドロッド１１の側壁上部に昇降位置規制孔１２が対称に固定されている。この構造を用いることにより、底部内釜２１が下降する際に位置規制されるので、底部内釜２１の無制限の下降による頂部内釜２２と底部内釜２１との離脱を防止することができ、内釜全体の使用信頼性を確保した。
【００１５】
前記底部内釜２１の内壁頂部には、シールリングが固定されている。本実施の形態におけるシールリングは、食品用のシリカゲル材料で製造され、温度適応性が広く、密封性、絶縁性、誘電性、環境保全性などに優れた特性を有し、耐高温性、耐低温性に優れ、外部からの干渉を受けることが少なく、理想的な防水シール部材である。
【００１６】
本考案の構造は、設計が合理的であり、操作が便利であり、使用時に、必要に応じて底部内釜を昇降調整することにより、頂部内釜の下部が底部内釜内に位置し、蒸煮調理後、場合によって底部内釜を昇降することにより、頂部内釜が底部内釜内から上昇するので、被調理物が長時間にわたって水に浸ることを防止でき、安定的で信頼でき、適用性及び実用性が高い。
【００１７】
本考案の上記の実施の形態は、本考案を明瞭に説明するための例示にすぎず、本考案の実施形態を限定するものではないことは明らかである。当業者であれば、上記の説明をふまえて、さらに他の異なる形式の変化や変更を行うことができるが、ここではすべての実施形態を取り上げることはできない。しかし、これらの本考案の精神から得られる自明な変化や変更は、本考案の保護範囲に含まれる。
【符号の説明】
【００１８】
１    内釜受け
２    内釜構造
３    底板
４    駆動モータ
５    駆動歯車
６    伝動スクリュー
８    位置規制ストッパ構造
９    位置規制凸部
１０  ガイド孔
１１  ガイドロッド
１２  昇降位置規制孔
２１  底部内釜
２２  頂部内釜
２３  昇降部
２４  ねじ孔
２５  位置規制フランジ
８１  位置規制部
８２  押圧調整ロッド
【図１】
0003220558.tif 000003